【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
スプリンクラハウジングと、
スプリンクラハウジング内に提供され、そして、流体導入口（１０）及び少なくとも１つの流体排出口（８）を有する流体チャネル（１２）と、
閉塞位置から放出位置へ移動可能な閉鎖要素（４）と、ここで閉鎖要素（４）は閉塞位置において流体チャネルを閉じ、放出位置において流体チャネルを開け、
熱的に作動されるまで閉鎖要素（４）を閉塞位置に保持する、熱的に作動可能なレリース要素（２５）と、
スプリンクラハウジングと閉鎖要素（４）との間に配設され、そして、閉塞位置において液密様式で流体チャネルを閉じるように構成される封止要素（５）と、を有し、
封止要素（５）が、封止効果を生成するために、閉塞位置において半径方向かつ軸方向に圧縮される、
スプリンクラ。
【請求項２】
封止要素（５）が、閉塞位置において、放出方向（Ａ）に拡開する封止面（１８）に対して押し付けられることを特徴とする請求項１に記載のスプリンクラ。
【請求項３】
拡開封止面（１８）が少なくとも部分的に円錐形状に構成されることを特徴とする請求項２に記載のスプリンクラ。
【請求項４】
拡開封止面（１８）が少なくとも部分的に凸状に湾曲することを特徴とする、請求項２又は３に記載のスプリンクラ。
【請求項５】
拡開封止面（１８）が少なくとも部分的に凹状に湾曲することを特徴とする、請求項２〜４のいずれか１項に記載のスプリンクラ。
【請求項６】
封止要素（５）が、Ｏリング、クワドリング、マルチリップシールリング、又はこれらの封止要素の形状を複数組み合わせたもの、からなるリストから選択される、請求項３に記載のスプリンクラ。
【請求項７】
拡開封止面（１８）が、スプリンクラハウジングに形成されることを特徴とする請求項２〜５のいずれか１項に記載のスプリンクラ。
【請求項８】
閉鎖要素（４）が、閉塞位置において封止要素（５）が押し付けられる、軸方向に延在する封止面（３６）を有することを特徴とする請求項７に記載のスプリンクラ。
【請求項９】
閉鎖要素（４）が、閉塞位置において封止要素（５）が押し付けられる、半径方向に延在する封止面（３０）を有することを特徴とする請求項７又は８に記載のスプリンクラ。
【請求項１０】
拡開封止面（１８）が、閉鎖要素（４）に配されることを特徴とする請求項２〜６のいずれか１項に記載のスプリンクラ。
【請求項１１】
少なくとも部分的に円錐形状に構成された拡開封止面（１８）が、５°〜６０°、１０°〜４０°、又は２０°〜３０°の角度範囲内の角度α１の円錐構成を有することを特徴とする請求項３に記載のスプリンクラ。
【請求項１２】
スプリンクラハウジングがメインボディ（２）及び流路ユニット（３）を有し、ここで、流体導入口（１０）及び／又は拡開封止面（１８）が流路ユニット（３）に形成されることを特徴とする請求項１〜１１のいずれか１項に記載のスプリンクラ。
【請求項１３】
メインボディ（２）が連結ユニット（３８）と、ノズルヘッド（３９）と、ケージ部（２７）とを有し、
受容チャネル（１６）を有する連結ユニット（３８）が、消火流体供給要素に対してスプリンクラ（１）を留め付け、
分配チャンバ（１５）がノズルヘッド（３９）の内部に形成され、該分配チャンバ（１５）から少なくとも１つの流体排出口（８）が延在し、
ケージ部（２７）が、熱的レリース要素（２５）を受容するためのケージ区画（３１）を画成する、
ことを特徴とする請求項１２に記載のスプリンクラ。
【請求項１４】
閉鎖要素（４）が放出方向（Ａ）にテーパ形状の第２の封止面（３２）を有し、
スプリンクラハウジングが、放出方向（Ａ）にテーパ形状の第３の封止面（１９）を有し、
第２の及び第３の封止面（１９、３２）が、閉鎖要素（４）の放出位置において互いにに対して当接する、
ことを特徴とする請求項１〜１３のいずれか１項に記載のスプリンクラ。
【手続補正２】
【補正対象書類名】明細書
【補正対象項目名】０００５
【補正方法】変更
【補正の内容】
【０００５】
【特許文献１】ＵＳ２０１４／３７４１２６Ａ１
【特許文献２】ＵＳ２０１４／３６７１２５Ａ１
【特許文献３】ＤＥ２９９２２６７４Ｕ１
【手続補正３】
【補正対象書類名】明細書
【補正対象項目名】０００９
【補正方法】変更
【補正の内容】
【０００９】
本発明は、請求項１の特徴を有する、プリアンブルに記載のタイプのスプリンクラにより目的を達成する。有利な改良形態及び発展形態は、従属請求項及び明細書の下記の説明及び図面に見出される。本発明の一視点において、スプリンクラが提供される。該スプリンクラは、
スプリンクラハウジングと、
スプリンクラハウジング内に提供され、そして、流体導入口及び少なくとも１つの流体排出口を有する流体チャネルと、
閉塞位置から放出位置へ移動可能な閉鎖要素と、ここで閉鎖要素は閉塞位置において流体チャネルを閉じ、放出位置において流体チャネルを開け、
熱的に作動されるまで閉鎖要素を閉塞位置に保持する、熱的に作動可能なレリース要素と、
スプリンクラハウジングと閉鎖要素との間に配設され、そして、閉塞位置において液密様式で流体チャネルを閉じるように構成される封止要素と、を有し、
封止要素が、封止効果を生成するために、閉塞位置において半径方向かつ軸方向に圧縮される。
なお、特許請求の範囲に付記した図面参照符号は専ら発明の理解を助けるためのものであり、本発明を図示の態様に限定することは意図していない。
本発明において、以下の形態が可能である。
（形態１）上記一視点のとおり。
（形態２）
封止要素が、閉塞位置において、放出方向に拡開する封止面に対して押し付けられることを特徴とする好ましくは形態１に記載のスプリンクラ。
（形態３）
拡開封止面が少なくとも部分的に円錐形状に構成されることを特徴とする好ましくは形態２に記載のスプリンクラ。
（形態４）
拡開封止面が少なくとも部分的に凸状に湾曲することを特徴とする、好ましくは形態２又は３に記載のスプリンクラ。
（形態５）
拡開封止面が少なくとも部分的に凹状に湾曲することを特徴とする、好ましくは形態２〜４のいずれか１に記載のスプリンクラ。
（形態６）
封止要素が、Ｏリング、クワドリング、マルチリップシールリング（特にＸリング又はＶリング）、又はこれらの封止要素の形状を複数組み合わせたもの、からなるリストから選択される、形態３に記載のスプリンクラ。
（形態７）
拡開封止面が、スプリンクラハウジングに形成されることを特徴とする好ましくは形態２〜５のいずれか１に記載のスプリンクラ。
（形態８）
閉鎖要素が、閉塞位置において封止要素が押し付けられる、軸方向に延在する封止面（３６）を有することを好ましくは特徴とする形態７に記載のスプリンクラ。
（形態９）
閉鎖要素が、閉塞位置において封止要素が押し付けられる、半径方向に延在する封止面を有することを特徴とする好ましくは形態７又は８に記載のスプリンクラ。
（形態１０）
拡開封止面が、閉鎖要素に配されることを特徴とする好ましくは形態２〜６のいずれか１に記載のスプリンクラ。
（形態１１）
少なくとも部分的に円錐形状に構成された拡開封止面が、５°〜６０°、好ましくは１０°〜４０°、特に好ましくは２０°〜３０°の角度範囲内の角度α１の円錐構成を有することを特徴とする好ましくは形態３に記載のスプリンクラ。
（形態１２）
スプリンクラハウジングがメインボディ及び流路ユニットを有し、ここで、流体導入口及び／又は拡開封止面が好ましくは流路ユニットに形成されることを特徴とする好ましくは形態１〜１１のいずれか１に記載のスプリンクラ。
（形態１３）
メインボディが連結ユニットと、ノズルヘッドと、ケージ部とを有し、
特に、流体導入チャネルを受容するための受容チャネルを有する連結ユニットが、消火流体供給要素に対してスプリンクラを留め付け、
分配チャンバがノズルヘッドの内部に形成され、該分配チャンバから少なくとも１つの流体排出口が延在し、
ケージ部が、熱的レリース要素を受容するためのケージ区画を画成する、
ことを特徴とする好ましくは形態１２に記載のスプリンクラ。
（形態１４）
閉鎖要素が放出方向にテーパ形状の第２の封止面を有し、
スプリンクラハウジング、特にメインボディが、放出方向にテーパ形状の第３の封止面を有し、
第２の及び第３の封止面が、閉鎖要素の放出位置において互いにに対して当接する、
ことを特徴とする好ましくは形態１〜１３のいずれか１に記載のスプリンクラ。
【手続補正４】
【補正対象書類名】明細書
【補正対象項目名】００８５
【補正方法】変更
【補正の内容】
【００８５】
ｄ１は、ｄ２よりも大きく、ｄ２はｄ３よりも小さく、ｄ３はｄ４よりも大きい。直径ｄ２を有する第２の領域（セクション）２２の長さは、好ましくは、封止要素５の材料の厚さに対応して採用される。差ｄ３−ｄ２は、好ましくは、負荷がかけられていない状態（ないし未装着状態：unbelastetem）の封止要素５の材料の厚さ［即ち、封止要素の厚さの２倍］よりも大きい。直径ｄ３は、好ましくは、負荷がかけられていない状態の封止要素５の外径よりも大きい。従って、直径ｄ３を有して半径方向に延在する封止面３０は、閉鎖要素の停止面としての役割を果たすとともに、第１の封止要素５が拡開封止面１８に対して押し付けられる際に封止要素５の過剰な変形及び剪断を防止する、又は設置中に封止要素５が溝から外れることを防止するための役割を果たす。